(57)【特許請求の範囲】
【請求項１】
移動する原稿を読み取るための読取部と、該読取部から排出される原稿を案内する排出路と、を備えた原稿搬送装置において、前記読取部のプラテンの下流側に隣接配置され、走行する原稿を前記プラテン面から前記排出路に案内するガイド部材が可動自在に取り付けられ、前記ガイド部材は、前記読取部のプラテンから原稿を掬い上げる可動自在な第１のガイド部材と、前記第１のガイド部材のガイド面と所定の間隔を維持して対向する第２のガイド部材とにより構成されていることを特徴とする原稿読取装置。
【請求項２】
前記第２のガイド部材は、前記プラテン面及び該プラテン面から原稿排出口に向かって傾斜する前記第１のガイド部材の掬い上げ面と対向してその断面が略「く」の字形状をなし、前記プラテン側に押圧する付勢手段を介して取り付けられていることを特徴とする請求項１に記載の原稿読取装置。
【請求項３】
前記第１のガイド部材と前記第２のガイド部材間の間隔は、前記第１のガイド部材又は前記第２のガイド部材のガイド面上に設けられた突起によって確保されていることを特徴とする請求項１に記載の原稿読取装置。
【請求項４】
前記第１のガイド部材は、前記プラテン面から搬送される原稿の走行によって可動可能な付勢力をもって前記第２のガイド部材に当接するように構成されたことを特徴とする請求項３に記載の原稿読取装置。
【請求項５】
前記第１のガイド部材は、前記プラテン側の端部を支点にして回動可能に取り付けられることを特徴とする請求項１又は２に記載の原稿読取装置。
【請求項６】
静止する原稿を読み取るための第２の読取部を設け、前記第１の読取部のプラテンと該第２の読取部のプラテン間に前記第１のガイド部材が配置されたことを特徴とする請求項１に記載の原稿読取装置。
【発明の詳細な説明】
【０００１】
【産業上の利用分野】
本発明は、原稿を搬送する自動原稿送り装置等（以下、「ＡＤＦ」という）を備えた画像読取装置に関する。
【０００２】
【従来の技術】
ＡＤＦを備えた画像読取装置においては、ＣＣＤ等の画像読取手段を所定の読取位置に静止させ、搬送されてきた原稿を読み取る、いわゆるシートスルー方式によって原稿を読み取る。
【０００３】
このシートスルー方式を採用した画像読取装置は、給紙トレイ上の原稿を分離して、これを給紙コンタクトガラス（以下、「プラテン」という）上に供給し、プラテンの前後に配置された搬送ローラ対にてプラテン上を移動させ、プラテン下の読み取り位置に静止した読取手段にて原稿画像を読み取って排出トレイに排紙する。
【０００４】
従来技術において、プラテンの直近下流側にはプラテン上から原稿を掬い上げるための掬い上げ部材が固定配置されている。これによってプラテンの位置において読み取られた原稿はプラテン上から掬い上げられて排紙トレイの方向に排出される。
【０００５】
この掬い上げ部材の他の作用は、原稿をプラテン上から掬い上げるだけではなく、搬送される原稿をプラテン面側に押し付けるように屈曲させて、原稿の腰を利用することにより原稿面をプラテン面に密着走行させ、プラテン下に位置する読取装置が原稿画像を精緻に読み取ることを可能にしている。
【０００６】
【発明が解決しようとする課題】
しかしながら、原稿がプラテン上から排出される際、走行する原稿の先端が、固定された掬い上げ部材の表面若しくはプラテンの下流の送りローラに突き当たるため、その瞬間、原稿走行は原稿進行を妨げるような原稿の進行方向とは逆方向の反力を受ける。
【０００７】
これにより原稿は読取位置において瞬時的に停止したり縒れた状態となり、読取装置による読み取り画像に歪みが生じてしまう。また、原稿後端がプラテンの手前に設けられた搬送ローラを通過すル際に読取位置におけて原稿がバタついてブレが生じてしまうために、読み取り画像に歪みが生じてしまうとの問題が発生していた。
【０００８】
本発明は、上記問題点に鑑みてなされたものであり、原稿を安定してプラテン上を走行させ良質な画像を得ることが可能な原稿搬送装置の提供を目的とする。
【０００９】
【課題を解決するための手段】
本発明は、従来技術の斯かる課題に鑑みてなされたものであって、本発明は、移動する原稿を読み取るための読取部と、該読取部から排出される原稿を案内する排出路と、を備えた原稿搬送装置において、前記読取部のプラテンの下流側に隣接配置され、走行する原稿を前記プラテン面から前記排出路に案内するガイド部材が可動自在に取り付けられていることを特徴とする原稿読取装置を提供するものである。
【００１０】
ここで、前記ガイド部材は、前記読取部のプラテンから原稿を掬い上げる可動自在な第１のガイド部材と、前記第１のガイド部材のガイド面と所定の間隔を維持して対向する第２のガイド部材とにより構成される。
【００１１】
そして、前記第２のガイド部材は、前記プラテン面及び該プラテン面から原稿排出口に向かって傾斜する前記第１のガイド部材の掬い上げ面と対向してその断面が略「く」の字形状をなし、前記プラテン側に押圧する付勢手段を介して取り付けられる。また、前記第１のガイド部材と前記第２のガイド部材間の間隔は、前記第１のガイド部材又は前記第２のガイド部材のガイド面上に設けられた突起によって確保される。
【００１２】
本発明の作用効果をより有効ならしめるために、前記第１のガイド部材は、前記プラテン面から搬送される原稿の走行によって可動可能な付勢力をもって前記第２のガイド部材に当接するように構成される。
ところで、前記第１のガイド部材は、前記プラテン側の端部を支点にして回動可能に取り付けるように構成してもよい。これによって読取部が容易に開放可能になりメンテナンス性が向上する。
【００１３】
ところで、本発明に係る画像読取装置においては、ブックもの等の厚手原稿を読み取ることを可能にするため、静止する原稿を読み取るための第２の読取部を設け、前記第１の読取部のプラテンと該第２の読取部のプラテン間に前記第１のガイド部材が配置される。
【００１４】
【発明の実施の形態】
以下、本発明に係る画像読取装置の詳細を、図面に基づいて詳しく説明する。図１に示すように、この実施例ではシート搬送装置の実施態様として、画像読取装置Ａに原稿を供給する自動原稿送り装置Ｂが取り付けられている。
【００１５】
画像読取装置Ａは、その上面にブック等の厚手原稿を読み取るための第１のプラテン１ａ（ブックプラテン）と、自動原稿送り装置にて供給されるシート原稿を読み取るための第２のプラテン１ｂ（シートスループラテン）との２つのプラテンがほぼ同一の平面上に設けられている。
【００１６】
プラテン１ａ、１ｂはガラスなどの透明材料によって構成され、プラテン１ａ及び１ｂの下方には原稿の画像情報を読み取るための読取手段２が設けられている。この読取手段２は、照明装置、複数の固定反射ミラー及びＣＣＤなどからなり、第１のプラテン１ａ上に固定された原稿を移動して読み取るとともに、第２のプラテン１ｂ上を移動する原稿を静止して読み取る。また、第１のプラテン１ａと第２のプラテン１ｂの間には、第１のプラテン１ａ上に固定される原稿の基準となるガイド部材である掬い上げ部材３１が配置されている。
【００１７】
自動原稿送り装置Ｂは、第１のプラテン１ａを覆うプラテンカバー３と一体に構成され、図示しないヒンジ装置でプラテン１ａ、１ｂに対し開閉自在に取り付けられている。プラテンカバー３は、剛性を有する薄いアルミ板３ａと、その下面に貼り付けたスポンジ材３ｂと、スポンジ材３ｂの下面を覆う白色フィルム３ｃとの三層構造である。
【００１８】
原稿送り装置Ｂは図１のように、原稿を載置する給紙トレイ１０、この給紙トレイ１０から原稿を給紙する給紙部４、原稿を読み取るための読取部６、読取部６を介して原稿を搬送し、排出する搬送部５、読み取られた原稿を収納する排紙トレイ２０とからなる。
【００１９】
給紙部４は給紙トレイ１０上の原稿を繰り出す繰出ローラ１１、繰り出された原稿を送る給紙ローラ１２と、第２紙以下を阻止する分離パッド１３、給紙ローラ１２から送られた原稿が突き当てられて姿勢を整えるとともに下流に向けて原稿を送る一対のレジストローラ１４，１５とを具備している。
【００２０】
繰出ローラ１１と給紙ローラ１２との中間位置には、原稿を給紙トレイ１０に載置する際、原稿の先端を阻止させるため給紙ストッパ９が配設されている。
また、給紙トレイ１０の上方には給紙トレイ上の原稿の有無を検出するエンプティセンサＳ１が配置され、レジストローラ対１４，１５の手前には原稿の先後端を検出するレジストセンサＳ２が配置されている。
【００２１】
搬送・排紙部５は給紙部４から給紙された原稿をプラテン１ｂの読取位置Ｘを移動させるために第２のプラテン１ｂの前後に設けられた第１の送りローラ対１６，１７及び第２の送りローラ対１８，１９、読み取られた原稿を排紙トレイ２０に排紙する排紙ローラ対２１，２２を具備している。
【００２２】
また、第１の送りローラ対２１，２２と第２のプラテン１ｂとの間には原稿の先後端を検出する読取センサＳ３が配置されており、第２の送りローラ対１８，１９と排紙ローラ対２１，２２の間には排紙センサＳ４が配置されている。
【００２３】
読取部６は第２のプラテン１ｂに対向して設けられたガイド部材３０、原稿を第２のプラテン１ｂ上から掬い上げるための傾斜面３１ａを有する掬い上げ部材３１からなり、この掬い上げ部材３１は読取装置側の第１のプラテン１ａと第２のプラテン１ｂの間に設けられ、その側面３１ｂがプック用の第１のプラテン１ａに原稿を載置する際の基準となる。
【００２４】
このような構成により、給紙トレイ１０に載置された原稿は、繰出しローラ１１により繰り出され、給紙ローラ１２と分離パット１３で１枚に分離される。１枚に分離された原稿はレジストセンサＳ２で先端を検出された後に所定量送られることでレジストローラ対１４，１５に突き当てられ、姿勢が整えられる。その後、レジストローラ対１４，１５が駆動され、原稿は第１の送りローラ対１６，１７に供給される。第１の送りローラ対１６，１７に供給された原稿は第２のプラテン１ｂとガイド部材３０の間を通過した後、その先端を掬い上げ部材３１により掬い上げられ第２の送りローラ対１８，１９に案内され、原稿を排紙する排紙ローラ対２１，２２により排紙トレイ２０に排紙される。
【００２５】
以下、本発明の実施の形態の例を説明する。
（１）本発明の第１の実施の形態
この読取部６の構成を図２（ａ）、図２（ｂ）に基づき詳細に説明すると、ガイド部材３０はその長手方向の両端にボス３０ｅが設けられ、このボス３０ｅは原稿送り装置のフレームの長孔に貫通している。そのため、ガイド部材３０は長孔の長手方向に移動可能にフレームに取り付けられている。
【００２６】
また、ガイド部材３０はプラテン１ｂに対向する面３０ａと掬い上げ部材３１の傾斜面３１ａに対向した面３０ｂを有し、プラテン１ｂに対向する面３０ａの長手方向両側には第１の突起３０ｃが形成され、掬い上げ部材３１の傾斜面３１ａに対向した面３０ｂの長手方向両側には第２の突起３０ｄが形成されている。
付勢バネ３３はガイド部材３０を常にプラテン１ｂ側に付勢している。
【００２７】
ここで、原稿送り装置Ｂをプラテン１ａ、１ｂに対して閉じると、ガイド部材の原稿搬送領域外に形成された第１の突起３０ｃがプラテン１ｂに当接して、ガイド部材３０は付勢バネ３３の付勢力に抗して移動し、プラテンとガイド部材３０の原稿搬送面との所定の間隔（例えば、１．０ｍｍ）に確実に規制され、常に一定間隔となる。このとき、ガイド部材３０の第２の突起３０ｄも掬い上げ部材３１の掬い上げ面に当接するが、掬い上げ部材の突出バネ３２の付勢力に対してガイド部材３０の付勢バネ３３の付勢力が大きいため、掬い上げ部材３１は下方に移動することとなり、掬い上げ部材の傾斜面３１ａとガイド部材３０の原稿搬送面との前記所定の間隔が確実に規制され、常に一定になる。
【００２８】
これにより、原稿先端が第２の送りローラ対１８，１９に突き当たった際の衝撃、及び原稿後端が第１の送りローラ１６，１７を抜ける際の衝撃を吸収することができ良好な原稿画像が得られる。
【００２９】
また、原稿送り装置Ｂを閉じると掬い上げ部材３１が下方に移動することにより、原稿を第１のプラテンに載置して読み取る際にプラテンカバー３と第１のプラテン１ａの間に隙間がなくなるので良好に原稿画像が読み取れるとともに、第２のプラテン１ｂからの原稿を掬い上げる傾斜（角度）が小さくなるので、原稿の先端が掬い上げ部材にスムーズに接触し画像歪みのない良好が原稿画像が得られる。
【００３０】
（２）本発明の第２の実施の形態
上記各実施例では掬い上げ部材を上下方向にスライド移動させたが、図４のように掬い上げ部材４０を第２のプラテン１ｂ側に設けた支点４０ａによって回動させる構造としてもよい。
【００３１】
（３）本発明の第３の実施の形態
上記実施例ではガイド部材３０のボス３０ｅを原稿送り装置のフレームの長孔に貫通させ、ガイド部材３０を移動可能にフレームに取り付けたが、図５に示すようにガイド部材６０の原稿搬送方向上流側にフレームに対して回転自在な軸４５を設け、この軸４５を支点としてガイド部材６０を回動させてもよい。４８はガイド部材６０を第２のプラテン１ｂ側に押圧する圧縮バネであり、この圧縮バネ４８はガイド部材６０に設けられたピン４６とフレームに設けられたピン４７にその両端を取り付けてある。ガイド部材３０をこのように構成することにより、読取部の１部が容易に開放可能となり、メンテナンス性が向上する。
【００３２】
（４）本発明の第４の実施の形態
上記各実施例では、第２の突起３０ｄをガイド部材３０に形成したが、図６に示すように、ガイド部材５０の上流側で掬い上げ部材３１の傾斜面３１ａに対向するフレームに固定された排出ガイド５１に突起５１ａを形成し、原稿送り装置Ｂをプラテン１ａ、１ｂに対して閉じることで排出ガイド５１に突起５１ａが掬い上げ部材３１に当接するようにしてもよい。これにより、ガイド部材３０をプラテン１ｂ側に押圧する付勢バネをなくし、ガイド部材５０の自重だけで第１の突起５０ａをプラテン１ｂに当接することができる。
【００３３】
（５）本発明の第５の実施の形態
上記各実施例では、第２のプラテン１ｂから原稿を掬い上げる掬い上げ部材の側面を第１のプラテン１ａの原稿載置基準としたが、図７のように掬い上げ部材と第１のプラテン１ａの原稿載置基準部材５５を個別に設けてもよい。
【００３４】
以上詳しく説明したように、本発明に係る画像読取装置においては、前記読取部のプラテンの下流側直近に配置され、走行する原稿を前記プラテン面から前記排出路に案内するガイド部材が可動自在に取り付けられ、前記ガイド部材は、前記読取部のプラテンから原稿を掬い上げる可動自在な第１のガイド部材と、前記第１のガイド部材のガイド面と所定の間隔を維持して対向する第２のガイド部材とにより構成される。そして、前記第１のガイド部材は、前記プラテン面から搬送される原稿の走行によって可動可能な付勢力をもって前記第２のガイド部材に当接する。これによって、原稿を安定してプラテン上を走行させることにより、読取部における原稿シートがジャム状態になることを排除して、良質な画像を得ることを実現した。
【図面の簡単な説明】
【図１】本発明の一実施例の原稿送り装置を備えた画像読取装置の構成を示す。
【図２】（ａ）同実施例の原稿送り装置閉状態の要部拡大図を示す。（ｂ）同実施例の原稿送り装置開状態の要部拡大図を示す。
【図３】ガイド部材３０の斜視図を示す。
【図４】本発明の第２の実施の形態を示す要部拡大図である。
【図５】本発明の第３の実施の形態を示す要部拡大図である。
【図６】本発明の第４の実施の形態を示す要部拡大図である。
【図７】本発明の第５の実施の形態を示す要部拡大図である。
【符号の説明】
１ａ    第１のプラテン
１ｂ    第２のプラテン
２      読取手段
４      給紙部
５      搬送・排出部
６      読取部
３０    ガイド部材
３０ａ  第１の突起
３０ｂ  第２の突起
３１    掬い上げ部材
３２    突出バネ
３３    付勢バネ
【図１】
0003603951.tif 000002
【図２】
0003603951.tif 000003
【図３】
0003603951.tif 000004
【図４】
0003603951.tif 000005
【図５】
0003603951.tif 000006
【図６】
0003603951.tif 000007
【図７】
0003603951.tif 000008